(57)【要約】      （修正有）【課題】基台と陳列板以外の別途のパーツが不要で、且つひとつの基台でフラット面と前方下り傾斜の陳列面の２形態の変更が容易な商品陳列台を提供する。【解決手段】円形断面の２本の丸棒部材１１を前後方向に所定間隔ｗ１で平行に配した基台１と、丸棒部材１１に係合する半円形断面の第２係止部３を裏面に４つ所定間隔で平行に配した陳列板２と、を有する商品陳列台において、第２係止部のうち、前から１番目のもの３ａと２番目のもの３ｂは前方側に、前から３番目のもの３ｃと４番目のもの３ｄは後方側にそれぞれ付設し、２番目のもの３ｂと４番目のもの３ｄを前後方向に所定間隔ｗ１で且つ該陳列板２の表面から同じ長さの位置に付設し、１番目のもの３ａと３番目のもの３ｃを前後方向に所定間隔ｗ１で且つ３番目のもの３ｃの長さを１番目のもの３ａの長さより長く付設し、１番目のもの３ａから４番目のもの３ｄの全てが平面視で重なることがない位置にある。【選択図】図１
0003140936.tif 000002
【実用新案登録請求の範囲】
【請求項１】
円形断面の２本の第１係止部を前後方向に所定間隔（ｗ１）で平行に配した基台と、
該第１係止部に係合する半円形断面の第２係止部を裏面に４つ所定間隔で平行に配した陳列板と、を有し、該第２係止部のうち、前から１番目のものと２番目のものは前方側に、前から３番目のものと４番目のものは後方側にそれぞれ付設し、該２番目のものと該４番目のものを前後方向に所定間隔（ｗ１）で且つ該陳列板の表面から同じ長さ（ｈ２、ｈ４）の位置に付設し、該１番目のものと該３番目のものを前後方向に所定間隔（ｗ１）で且つ該３番目のものの長さ（ｈ３）を該１番目のものの長さ（ｈ１）より長く付設し、該１番目〜該４番目のものの全てが平面視で重なることがない位置にあることを特徴とする商品陳列台。
【請求項２】
該第１係止部と、該第２係止部のうち前から２番目と４番目を係止させて該陳列板の陳列面を水平とすることを特徴とする請求項１記載の商品陳列台。
【請求項３】
該第１係止部と、該第２係止部のうち前から１番目と３番目を係止させて該陳列板の陳列面を前方下り傾斜面とすることを特徴とする請求項１記載の商品陳列台。
【請求項４】
円形断面の２本の第１係止部を前後方向に所定間隔（ｗ１）で平行に配した基台と、
該第１係止部に係合する半円形断面の第２係止部を裏面に４つ所定間隔で平行に配した陳列板と、を有し、該第２係止部のうち、前から１番目のものと２番目のものは前方側に、前から３番目のものと４番目のものは後方側にそれぞれ付設し、該１番目のものと該３番目のものを前後方向に所定間隔（ｗ１）で且つ該陳列板の表面から同じ長さ（ｈｈ１、ｈｈ３）の位置に付設し、該２番目のものと該４番目のものを前後方向に所定間隔（ｗ１）で且つ該４番目のものの長さ（ｈｈ４）を該２番目のものの長さ（ｈｈ２）より長く付設し、該１番目〜該４番目のものの全てが平面視で重なることがない位置にあることを特徴とする商品陳列台。
【請求項５】
該第１係止部と、該第２係止部のうち前から１番目と３番目を係止させて該陳列板の陳列面を水平とすることを特徴とする請求項４記載の商品陳列台。
【請求項６】
該第１係止部と、該第２係止部のうち前から２番目と４番目を係止させて該陳列板の陳列面を前方下り傾斜面とすることを特徴とする請求項４記載の商品陳列台。
【請求項７】
該陳列板の表面に、更に商品陳列トレーを付設したことを特徴とする請求項１又は４記載の商品陳列台。
【請求項８】
該陳列板の表面に形成された第１係合部と該商品陳列トレーに形成された第２係合部とを係合させることを特徴とする請求項１又は４に記載の商品陳列台。
【考案の詳細な説明】
【技術分野】
【０００１】
本考案は、スーパーなどで商品を陳列するために使用されるものであって、フラットな陳列面と前方下り傾斜の陳列面の２形態を手軽に変更できる商品陳列台に関するものである。
【背景技術】
【０００２】
スーパーなどで商品を陳列する商品陳列台には種々のものがある。この中、フラットな陳列面と前方下り傾斜の陳列面の２形態を変更して使用する商品陳列台が知られている。このような商品陳列台としては、基台の形状がフラットなものにフラットな形状の陳列板を設置して、フラットな陳列面を形成するか、あるいは基台の形状が前方下り傾斜のものにフラットな形状の陳列板を設置して、前方下り傾斜の陳列面を形成する商品陳列台が知られている。また、基台に対して陳列板が種々の傾斜姿勢を採る、所謂リクライニング自在となるように付設された商品陳列台も知られている。
【考案の開示】
【考案が解決しようとする課題】
【０００３】
しかしながら、２つの基台を準備するのはコストアップになり、また保管場所の確保など問題が多い。また、基台に対して陳列板がリクライニング自在となるように付設された商品陳列台は、リクライニング手段が必要となり、基台と陳列板以外の別途のパーツが必要となる。従って、基台と陳列板以外の別途のパーツが不要で、且つひとつの基台でフラット面と前方下り傾斜の陳列面の２形態がとれる商品陳列台の開発が望まれていた。
【０００４】
すなわち、本考案の目的は、基台と陳列板以外の別途のパーツが不要で、且つひとつの基台でフラット面と前方下り傾斜の陳列面の２形態の変更が容易な商品陳列台を提供することにある。
【課題を解決するための手段】
【０００５】
すなわち、本考案は上記課題を解決するものであって、円形断面の２本の第１係止部を前後方向に所定間隔（ｗ１）で平行に配した基台と、該第１係止部に係合する半円形断面の第２係止部を裏面に４つ所定間隔で平行に配した陳列板と、を有し、該第２係止部のうち、前から１番目のものと２番目のものは前方側に、前から３番目のものと４番目のものは後方側にそれぞれ付設し、該２番目のものと該４番目のものを前後方向に所定間隔（ｗ１）で且つ該陳列板の表面から同じ長さ（ｈ２、ｈ４）の位置に付設し、該１番目のものと該３番目のものを前後方向に所定間隔（ｗ１）で且つ該３番目のものの長さ（ｈ３）を該１番目のものの長さ（ｈ１）より長く付設し、該１番目〜該４番目のものの全てが平面視で重なることがない位置にあることを特徴とする商品陳列台を提供するものである。
【０００６】
また、本考案は、該第１係止部と、該第２係止部のうち前から２番目と４番目を係止させて該陳列板の陳列面を水平とする前記商品陳列台を提供するものである。また、本考案は、該第１係止部と、該第２係止部のうち前から１番目と３番目を係止させて該陳列板の陳列面を前方下り傾斜面とすることを特徴とする前記商品陳列台を提供するものである。
【０００７】
また、本考案は、円形断面の２本の第１係止部を前後方向に所定間隔（ｗ１）で平行に配した基台と、該第１係止部に係合する半円形断面の第２係止部を裏面に４つ所定間隔で平行に配した陳列板と、を有し、該第２係止部のうち、前から１番目のものと２番目のものは前方側に、前から３番目のものと４番目のものは後方側にそれぞれ付設し、該１番目のものと該３番目のものを前後方向に所定間隔（ｗ１）で且つ該陳列板の表面から同じ長さ（ｈｈ１、ｈｈ３）の位置に付設し、該２番目のものと該４番目のものを前後方向に所定間隔（ｗ１）で且つ該４番目のものの長さ（ｈｈ４）を該２番目のものの長さ（ｈｈ２）より長く付設し、該１番目〜該４番目のものの全てが平面視で重なることがない位置にあることを特徴とする商品陳列台を提供するものである。
【０００８】
また、本考案は、該第１係止部と、該第２係止部のうち前から１番目と３番目を係止させて該陳列板の陳列面を水平とする前記商品陳列台を提供するものである。また、本考案は、該第１係止部と、該第２係止部のうち前から２番目と４番目を係止させて該陳列板の陳列面を前方下り傾斜面とすることを特徴とする前記商品陳列台を提供するものである。
【０００９】
また、本考案は、該陳列板の表面に、更に商品陳列トレーを付設したことを特徴とする前記商品陳列台を提供するものである。
【００１０】
また、本考案は、該陳列板の表面に形成された第１係合部と該商品陳列トレーに形成された第２係合部とを係合させることを特徴とする前記商品陳列台を提供するものである。
【考案の効果】
【００１１】
本考案の商品陳列台は、基台の２本の丸棒部材と陳列板の裏面の４つの係合凹部（第２係合部）との係合関係で、陳列板の陳列面をフラット面と前方下り傾斜面の２形態を採ることができると共に、一方の形態から他方の形態への変更が容易である。また、陳列板の裏面の４つの係合凹部は、平面視で互いが重なる位置にないため、設置形態の変更の際は、陳列板を上方に持ち上げ、前後の位置を少しずらせて降ろすだけで、何の障害もなく特に陳列板を傾斜させるなど作業者に煩わしさを与えることなく、陳列形態の変更ができる。
【考案を実施するための最良の形態】
【００１２】
次に、本考案の第１の実施の形態における商品陳列台を図１〜図６を参照して説明する。図１は本考案の第１の陳列形態における商品陳列台の斜視図、図２は本第２の陳列形態における商品陳列台の他の斜視図、図３は図１の商品陳列台の側面図、図４は図２の商品陳列台の側面図、図５は図１の商品陳列台に商品陳列トレーを載せた斜視図、図６は図２の商品陳列台に商品陳列トレーを載せた斜視図をそれぞれ示す。本明細書中、「前」は顧客側を言い、「後」はその反対側を言う。
【００１３】
商品陳列台１０は、円形断面の２本の丸棒部材（第１係止部）１１を前後方向に所定間隔（ｗ１）で平行に配した基台１に、丸棒部材１１に係合する半円形断面の第２係止部３を裏面に４つ所定間隔で平行に配した陳列板２を載せて得られる。基台１において、２本の丸棒部材１１は、設置面に設置される２本の水平部材１１１と、２本の水平部材１１１の中央から立設する垂直部材１１２と、垂直部材１１２に中央で連結する上部水平部材１１３で形成される横Ｈ部材に支持されている。基台１の形状及び構造は円形断面の２本の丸棒部材１１を有するものであれば、上記横Ｈ部材に限定されない。
【００１４】
商品陳列台１０において、前から１番目（以降、順番を示す数字は「前から」であるため、「前から」の記載は省略する。）の第２係止部３ａと２番目の第２係止部３ｂは前方側に、３番目の第２係止部３ｃと４番目の第２係止部３ｄは後方側にそれぞれ付設される。また、２番目の第２係止部３ｂと４番目の第２係止部３ｄは前後方向に所定間隔（ｗ１）で且つ陳列板の表面２１から同じ長さ（ｈ２＝ｈ４）の位置に付設され、１番目の第２係止部３ａと３番目の第２係止部３ｃは前後方向に所定間隔（ｗ１）で且つ３番目の第２係止部３ｃの長さ（ｈ３）を１番目の第２係止部３ａの長さ（ｈ１）より長く付設し、１番目の第２係止部３ａ〜４番目の第２係止部３ｄの全てが平面視で重なることがない位置に形成されている。平面視とは、陳列板２の陳列面２１を水平状態において上から見た状態を言う。商品陳列台１０の第２係止部３である半円形断面形状の溝は無垢の板状物の裏面に左右方向に延出するように形成されている。
【００１５】
なお、商品陳列台１０は、２番目の第２係止部３ｂと４番目の第２係止部３ｄで形成される水平面形成用係止部が、１番目の第２係止部３ａと３番目の第２係止部３ｃで形成される前方下り傾斜面形成用係止部の後方側となっているが、これに限定されず、２番目の第２係止部３ｂと４番目の第２係止部３ｄで形成される水平面形成用係止部が、１番目の第２係止部３ａと３番目の第２係止部３ｃで形成される前方下り傾斜面形成用係止部の前方側となってもよい。
【００１６】
水平面形成用係止部が、前方下り傾斜面形成用係止部の前方側となる第２係止部３の形状としては、１番目の第１係止部３ａと３番目の第２係止部３ｃは前後方向に所定間隔（ｗ１）で且つ陳列板の表面２１から同じ長さ（ｈｈ１＝ｈｈ３）の位置に付設され、２番目の第２係止部３ｂと４番目の第２係止部３ｄは前後方向に所定間隔（ｗ１）で且つ４番目の第２係止部３ｄの長さ（ｈｈ４）を２番目の第２係止部３ｂの長さ（ｈｈ２）より長く付設し、１番目の第２係止部３ａ〜４番目の第２係止部３ｄの全てが平面視で重なることがない位置に形成されるものが挙げられる（不図示）。
【００１７】
商品陳列台１０において、陳列台２の平坦な陳列面２１には商品陳列用トレー４を設置すれば、前方下り傾斜で陳列する際、お惣菜等の少量陳列をボリューム感を出して陳列することができる（図６）。なお、陳列台２の陳列面２１への商品陳列用トレー４の設置は、陳列面２１に形成された第１係合部と商品陳列用トレー４の底板の裏面に形成された第２係合部との係合による方法、両面接着テープによる接着方法などが挙げられる。第１係合部及び第２係合部としては、凹部と凸部の係合又は凹部と凸部の係合が挙げられる。
【００１８】
図１〜図６に示す商品陳列台１０において、陳列面２１を水平面とするには、基台１を床などの水平面に設置し、基台１の前方の丸棒部材１１に陳列板２の第２係止部３ｂを係止させ、基台１の後方の丸棒部材１１に陳列板２の第２係止部３ｄを係止させればよい（図１、３及び５）。また、この状態から陳列面２１を前方下り傾斜に変更する場合、陳列板２を手で上方に持ち上げ、丸棒部材１１、１１と、陳列板２の第２係止部３ｂ及び第２係止部３ｄの係止を解除し、この状態から陳列板２を後方側へ少し移動させ、降ろし、基台１の前方の丸棒部材１１に陳列板２の第２係止部３ａを係止させ、基台１の後方の丸棒部材１１に陳列板２の第２係止部３ｃを係止させればよい（図２、４及び６）。
【００１９】
第１の実施の形態における商品陳列台１０によれば、基台の２本の丸棒部材と陳列板の裏面の４つの係合凹部（第２係合部）との係合関係で、陳列板の陳列面をフラット面と前方傾斜面の２形態に容易に変更できる。また、陳列板の裏面の４つの係合凹部は、平面視で互いが重なる位置にないため、設置形態の変更の際は、陳列板を持ち上げ、前後の位置を少しずらせて降ろすだけでよく、何の障害もなく特に陳列板を傾斜させるなど作業者に煩わしさを与えることがない。
【００２０】
次に、本考案の第２の実施の形態における商品陳列台について、図７〜図１１を参照して説明する。図７は本例の商品陳列台で使用する陳列板を裏から見た斜視図、図８は本例の商品陳列台で使用する陳列板を表から見た斜視図、図９は図７の陳列板にアクセサリー部材を設置したものの斜視図、図１０は本例の商品陳列台で使用する商品陳列トレーを裏から見た斜視図、図１１は本例の商品陳列台の変形例の斜視図をそれぞれ示す。
【００２１】
図７〜図１１において、図１〜図６と同一構成要素には同一符号を付して、その説明を省略し、異なる点について主に説明する。すなわち、図７及び図８の陳列板２ａにおいて、図１〜図６の陳列板２と異なる点は、陳列板２ａの表面２１に矩形断面の半錐状の凹部２４を前後方向に対称及び左右方向に対称となるように、所定のピッチで９個形成したこと、前端に角棒状の部材２２を設け、更に角棒状の部材２２の右端に所定深さの係合丸穴２２１を立設したこと、角棒状の部材２２と陳列本体部との間に左右方向に所定のピッチで６個の貫通孔２３を設けたこと、陳列板２ａの後方縁に左右方向に延びる横溝２８を設けたこと、第２係止部３を陳列板２の裏面から下方に延びる四角形状の枠状部材に半円形断面の切り欠きを設けることで形成したことにある。
【００２２】
陳列板２ａの表面２１に形成された９個の凹部２４は、図１０に示されるような商品陳列トレー４の底板の裏面に形成された４つの突起４３と係合するものである。これにより、陳列板２ａと商品陳列トレー４は一体化し、前方下り傾斜姿勢となっても、商品陳列トレー４が陳列板２ａから脱落することはない。なお、陳列板２ａの表面２１に形成された凹部２４や商品陳列トレー４の底板の裏面に形成された突起４３の個数及び形状は上記形態に限定されず、適宜決定される。
【００２３】
角棒状の部材２２の右端に形成される所定深さの係合丸穴２２１には、図１１に示すような、トング立て７を設置することができる。トング立て７にトング７１を設置すれば、商品陳列トレー４の中のお惣菜などを取るのに便利である。
【００２４】
角棒状の部材２２と陳列本体部との間に形成される貫通孔２３には、図９に示すような、アーチ状で且つ円形断面形状の線材２６を設置することができる。アーチ状の脚部の先端が貫通孔２３に差し込まれる。これにより、商品陳列トレー４の前方への転落を防止することができる。また、線材２６に商品情報カードなどを表示した表示具６を掛止めすることができ、陳列の演出効果が向上する。
【００２５】
陳列板２ａの後方縁に形成される横溝２８には、図９に示すように、転落防止用の板状部材２７を設置することができる。
【００２６】
図７に示すように、陳列板２ａの裏面に形成される第２係止部３は、板状物で四角状に囲まれた大きい第１枠体３１の左右の板状部材３１ａと、板状物で四角状に囲まれた第１枠体３１より小さい第２枠体３２の左右の板状の脚部材３２ａに切り欠き状に形成される。このような第２係止部３を枠体構造とすることにより、軽量で且つ強度が十分なものとすることができる。第１枠体３１の左右の板状部材３１ａには、１番目の第２係止部３ａ、２番目の第２係止部３ｂ及び４番目の第２係止部３ｄがそれぞれ形成されている。また、第２枠体３１の左右の板状の脚部材３２ａには、２番目の第２係止部３ｂと３番目の第２係止部３ｃがそれぞれ形成されている。３番目の第２係止部３ｃが形成される脚部材の長さは２番目の第２係止部３ｂが形成される脚部材の長さより長い。なお、陳列板２の裏面に形成される小さい高さの板状突起３３は、強度を高めるためのリブ部材である。
【００２７】
第２の実施の形態例の商品陳列台１０ａによれば、第１の実施の形態における商品陳列台１０と同様の効果を奏する他、陳列台を軽量にできたり、商品陳列トレーを陳列板２に固定できたり、種々のアクセサリーを設置して、転落防止機能やお惣菜分取機能を付与したりすることができる。
【図面の簡単な説明】
【００２８】
【図１】第１の陳列形態における商品陳列台の斜視図である。
【図２】第２の陳列形態における商品陳列台の他の斜視図である。
【図３】図１の商品陳列台の側面図である。
【図４】図２の商品陳列台の側面図である。
【図５】図１の商品陳列台に商品陳列トレーを載せた斜視図である。
【図６】図２の商品陳列台に商品陳列トレーを載せた斜視図である。
【図７】本例の商品陳列台で使用する陳列板を裏から見た斜視図である。
【図８】本例の商品陳列台で使用する陳列板を表から見た斜視図である。
【図９】図７の陳列板にアクセサリー部材を設置したものの斜視図である。
【図１０】本例の商品陳列台で使用する商品陳列トレーを裏から見た斜視図である。
【図１１】本例の商品陳列台の変形例の斜視図である。
【符号の説明】
【００２９】
１    基台
２、２ａ    陳列板
３    第２係止部
３ａ  １番目の第２係止部材
３ｂ  ２番目の第２係止部材
３ｃ  ３番目の第２係止部材
３ｄ  ４番目の第２係止部材
４    商品陳列トレー
６    アーチ状の線材
７    トング立て
１０、１０ａ    商品陳列台
１１    ２本の丸棒部材（第１係止部）
【図１】
0003140936.tif 000003
【図２】
0003140936.tif 000004
【図３】
0003140936.tif 000005
【図４】
0003140936.tif 000006
【図５】
0003140936.tif 000007
【図６】
0003140936.tif 000008
【図７】
0003140936.tif 000009
【図８】
0003140936.tif 000010
【図９】
0003140936.tif 000011
【図１０】
0003140936.tif 000012
【図１１】
0003140936.tif 000013